(57)【要約】【課題】表示輝度の低下を抑えつつ、クロストークを抑制することが可能な映像表示装置および映像表示システムを提供する。【解決手段】タイミング制御部は、右眼用映像信号および左眼用映像信号のそれぞれについて、１回目のブランキング期間Ｔｂ１の長さよりも長いブランキング期間が、２回目以降のブランキング期間のうちに少なくとも１つ存在することとなるように、タイミング制御を行う。例えば、１回目のブランキング期間Ｔｂ１の長さよりも２回目のブランキング期間Ｔｂ２の長さのほうがより長くなるように、タイミング制御を行う。連続書き込み方式を用いて、２回目のブランキング期間Ｔｂ２にシャッター眼鏡を開状態として立体表示映像の観察を行う際に、液晶の応答特性を補いつつ、シャッター眼鏡における開期間をより長く設定することができる。【選択図】図７
2011018993.tif 000002
【特許請求の範囲】
【請求項１】
それぞれが時系列に沿った複数の単位映像からなる複数の映像ストリームに対して、各単位映像が複数回ずつ連続して出力されると共に出力対象の映像ストリームが時分割的に順次切り換えられるように出力制御を行う映像処理部と、
前記映像処理部から出力される各単位映像の出力期間同士の間に位置する各ブランキング期間の開始時期および長さのうちの少なくとも一方が変更可能となるように、各単位映像のタイミング制御を行うタイミング制御部と、
前記タイミング制御がなされた後の各単位映像に基づいて映像表示を行う表示部と
を備え、
前記タイミング制御部は、各映像ストリームにおいて、１回目の単位映像の出力直後に位置する第１ブランキング期間の長さよりも長いブランキング期間である第２ブランキング期間が、２回目の単位映像の出力直後または２回目以降の各単位映像の出力直後に位置するブランキング期間のうちに少なくとも１つ存在することとなるように、タイミング制御を行う
映像表示装置。
【請求項２】
前記タイミング制御部は、各映像ストリームにおいて、２回目またはそれ以降の単位映像の出力開始時期が、各回の単位映像を均等の開始位置および長さで出力する場合と比べてより早くなるように、タイミング制御を行う
請求項１に記載の映像表示装置。
【請求項３】
前記タイミング制御部は、各映像ストリームにおいて、１回目の単位映像の出力期間の長さが、２回目またはそれ以降の単位映像の出力期間の長さと比べてより短くなるように、タイミング制御を行う
請求項１または請求項２に記載の映像表示装置。
【請求項４】
前記表示部は、表示画面を線順次で走査しつつ各単位映像に対応する映像信号を書き込むことにより映像表示を行うものであり、
前記タイミング制御部は、線順次走査の際の書き込み周波数が、２回目またはそれ以降の単位映像の出力の際と比べて１回目の単位映像の出力の際のほうがより高くなるように、タイミング制御を行う
請求項３に記載の映像表示装置。
【請求項５】
前記表示部は、表示画面を線順次で走査しつつ各単位映像に対応する映像信号を書き込むことにより映像表示を行うものであり、
前記タイミング制御部は、線順次走査の際の同時選択水平ライン数が、２回目またはそれ以降の単位映像の出力の際と比べて１回目の単位映像の出力の際のほうがより多くなるように、タイミング制御を行う
請求項３に記載の映像表示装置。
【請求項６】
前記タイミング制御部は、各映像ストリームにおいて、各回の単位映像の出力期間の長さが、各回の単位映像を均等の開始位置および長さで出力する場合と比べて同一の比率でいずれもより短くなるように、タイミング制御を行う
請求項１または請求項２に記載の映像表示装置。
【請求項７】
前記表示部は、表示画面を線順次で走査しつつ各単位映像に対応する映像信号を書き込むことにより映像表示を行うものであり、
前記タイミング制御部は、
線順次走査の際の同時選択水平ライン数が、２回目またはそれ以降の単位映像の出力の際と比べて１回目の単位映像の出力の際のほうがより多くなると共に、
２回目またはそれ以降の単位映像の出力の際に走査される水平ライン数が、表示画面全体の水平ライン数に対して間引かれることとなるように、タイミング制御を行う
請求項６に記載の映像表示装置。
【請求項８】
前記表示部における前記複数の映像ストリームの切り換え表示に同期した開閉動作がなされるように、シャッター眼鏡の開閉動作の制御を行うシャッター制御部を備え、
前記タイミング制御部は、各映像ストリームにおいて、前記第２ブランキング期間で前記シャッター眼鏡が開状態となるように、前記シャッター制御部に対するタイミング制御を行う
請求項１または請求項２に記載の映像表示装置。
【請求項９】
前記タイミング制御部は、動作環境の温度変化に応じて前記第２ブランキング期間の長さが変化するように、タイミング制御を行う
請求項８に記載の映像表示装置。
【請求項１０】
前記タイミング制御部は、動作環境が低温になるのに従って前記第２ブランキング期間の長さをより短く変化させる一方、動作環境が高温になるのに従って前記第２ブランキング期間の長さをより長く変化させる
請求項９に記載の映像表示装置。
【請求項１１】
前記タイミング制御部は、各単位映像の内容に応じて前記第２ブランキング期間の長さが変化するように、タイミング制御を行う
請求項８に記載の映像表示装置。
【請求項１２】
前記タイミング制御部は、各映像ストリームにおいて、各回の単位映像の出力期間とそれらの出力期間の直後に位置する各ブランキング期間とからなる単位フレーム期間の長さが、各回の単位映像を均等位置で出力する場合の長さで保持されるように、タイミング制御を行う
請求項１に記載の映像表示装置。
【請求項１３】
前記表示部は、表示画面を線順次で走査しつつ各単位映像に対応する映像信号を書き込むことにより映像表示を行うものであり、
前記タイミング制御部は、線順次走査の際の書き込み周波数が、前記表示部において２次元映像表示を行っている場合と比べて３次元（立体）映像表示を行っている場合のほうがより高くなるように、タイミング制御を行う
請求項１に記載の映像表示装置。
【請求項１４】
前記複数の映像ストリームが、互いに視差を有する左眼用映像ストリームおよび右眼用映像ストリームである
請求項１に記載の映像表示装置。
【請求項１５】
前記表示部が、液晶素子を用いて構成された液晶表示部である
請求項１に記載の映像表示装置。
【請求項１６】
それぞれが時系列に沿った複数の単位映像からなる複数の映像ストリームを、時分割的に順次切り換えて映像表示を行う映像表示装置と、
前記映像表示装置における切り換え表示に同期した開閉動作を行うシャッター眼鏡と
を備え、
前記映像表示装置は、
前記複数の映像ストリームに対して、各単位映像が複数回ずつ連続して出力されると共に出力対象の映像ストリームが時分割的に順次切り換えられるように出力制御を行う映像処理部と、
前記映像処理部から出力される各単位映像の出力期間同士の間に位置する各ブランキング期間の開始時期および長さのうちの少なくとも一方が変更可能となるように、各単位映像のタイミング制御を行うタイミング制御部と、
前記タイミング制御がなされた後の各単位映像に基づいて映像表示を行う表示部と
を有し、
前記タイミング制御部は、各映像ストリームにおいて、１回目の単位映像の出力直後に位置する第１ブランキング期間の長さよりも長いブランキング期間である第２ブランキング期間が、２回目の単位映像の出力直後または２回目以降の各単位映像の出力直後に位置するブランキング期間のうちに少なくとも１つ存在することとなるように、タイミング制御を行う
映像表示システム。
【発明の詳細な説明】
【技術分野】
【０００１】
本発明は、シャッター眼鏡を用いた映像表示システム、およびこのようなシステムに好適に用いられる映像表示装置に関する。
【背景技術】
【０００２】
近年、薄型テレビ、携帯端末装置のディスプレイとして、画素毎にＴＦＴ（Thin Film Transistor；薄膜トランジスタ）を設けたアクティブマトリクス型の液晶表示装置（ＬＣＤ；Liquid Crystal Display）が多く用いられている。このような液晶表示装置では、一般に、画面上部から下部に向かって、各画素の補助容量素子および液晶素子に映像信号が線順次に書き込まれることにより各画素が駆動される。
【０００３】
ところで、液晶表示装置では、その用途に応じて、１フレーム期間を多分割し、分割した時間毎に異なる映像を表示させる駆動（以下、時分割駆動という）が行われている。このような時分割駆動方式を用いた液晶表示装置としては、例えばフィールドシーケンシャル方式を用いた液晶表示装置や、シャッター眼鏡を用いた立体映像表示システム（例えば、特許文献１，非特許文献１参照）等が挙げられる。
【０００４】
シャッター眼鏡を用いた立体映像表示システムでは、１フレーム期間を２分割し、左眼用および右眼用の映像として互いに視差を有する２枚の映像を交互に切り替えて表示させる。また、この表示切り替えに同期して開閉動作がなされるシャッター眼鏡が用いられる。シャッター眼鏡は、左眼用映像の表示期間は左眼側が開（右眼側を閉）、右眼用映像の表示期間は右眼側が開（左眼側を閉）となるように制御される。観察者がこのようなシャッター眼鏡をかけて表示映像を観察することにより立体視を実現する。
【先行技術文献】
【特許文献】
【０００５】
【特許文献１】特開２０００−４４５１号公報
【非特許文献】
【０００６】
【非特許文献１】Sang Soo Kim，他５名、“World's First 240Hz TFT-LCD Technology for Full-HD LCD-TV and Its Application to 3D Display”、SID 09 DIGEST、p.424-427
【発明の概要】
【発明が解決しようとする課題】
【０００７】
ところが、上記のような立体映像表示システムでは、液晶表示装置における応答速度不足や、シャッター眼鏡におけるコントラスト不足等、表示装置やシャッターの特性上の理由から、連続する映像同士の間で干渉（以下、クロストークという）が生じる。例えば、左眼用映像の一部が右眼に、右眼用映像の一部が左眼にそれぞれ漏れ込む現象が生じてしまう。
【０００８】
そこで、以下のような連続書き込み方式を用いることが考えられる。この方式では、まず、１フレーム期間内に、各単位映像を複数回ずつ連続して出力する（書き込みを行う）。そして、その連続書き込みによって液晶が十分に応答して所望の輝度を保持している期間に、シャッターを開状態にする。これにより、画面全体が同一映像を表示している期間にのみ、シャッターを開状態とすることができるため、クロストークを抑制することが可能となると考えられる。
【０００９】
しかしながら、この連続書き込み方式を用いた場合でも、シャッター眼鏡における開期間の開始時期（タイミング）やその長さ（Duty）は、例えば画面中央部を基準とした固定値に設定されているため、画面内でクロストークが発生し易い位置が存在することになる。具体的には、まず、上述のように画面の上部から下部に向かって線順次で書き込みを行う場合、画面の上部と下部との間では、それぞれの目標輝度に達するまでに時間的なずれが生じる。このため、例えば、画面中央部を基準にして、シャッター開期間のタイミングやDutyが設定されていると、画面の上部と下部において目標輝度からのずれが生じ、クロストークが発生し易くなる。すなわち、画面内の位置によって、クロストークを抑制するための最適なシャッター開期間のタイミングやdutyが異なるのである。
【００１０】
また、この手法（連続書き込み方式）を用いた場合、従来の黒画像挿入方式（各映像間に黒画像を挿入する方式）と比べてシャッター開期間のDutyが相対的に短くなる傾向にあることから、表示輝度の低下が生じ易くなる。特に、上記したような画面内の位置に応じたクロストーク発生を抑えるには、シャッター開期間のDutyをより短くする必要があるため、更に表示輝度の低下が生じてしまうことになる。
【００１１】
このようにして、時分割駆動方式による映像表示の際に、表示輝度の低下を抑えつつクロストークを抑制することは困難であり、改善する手法の実現が望まれる。なお、これまで説明したような問題は、液晶表示装置の場合には限られず、他の種類の表示装置においても発生し得るものである。
【００１２】
本発明はかかる問題点に鑑みてなされたもので、その目的は、表示輝度の低下を抑えつつ、クロストークを抑制することが可能な映像表示装置および映像表示システムを提供することにある。
【課題を解決するための手段】
【００１３】
本発明の映像表示装置は、それぞれが時系列に沿った複数の単位映像からなる複数の映像ストリームに対して、各単位映像が複数回ずつ連続して出力されると共に出力対象の映像ストリームが時分割的に順次切り換えられるように出力制御を行う映像処理部と、この映像処理部から出力される各単位映像の出力期間同士の間に位置する各ブランキング期間の開始時期および長さのうちの少なくとも一方が変更可能となるように、各単位映像のタイミング制御を行うタイミング制御部と、タイミング制御がなされた後の各単位映像に基づいて映像表示を行う表示部とを備えたものである。また、このタイミング制御部は、各映像ストリームにおいて、１回目の単位映像の出力直後に位置する第１ブランキング期間の長さよりも長いブランキング期間である第２ブランキング期間が、２回目の単位映像の出力直後または２回目以降の各単位映像の出力直後に位置するブランキング期間のうちに少なくとも１つ存在することとなるように、タイミング制御を行う。ここで、「映像ストリーム」とは、時系列上に沿った一連の単位映像の並びのことを意味しており、例えば、立体映像表示を行う場合における、左眼用映像ストリームや右眼用映像ストリームなどが挙げられる。また、例えば６０Ｈｚの映像ストリームの場合、静止画が６０Ｈｚの周期で連続的に切り替わることになるが、この静止画一枚一枚が、上記「単位映像」に対応している。
【００１４】
本発明の映像表示システムは、それぞれが時系列に沿った複数の単位映像からなる複数の映像ストリームを、時分割的に順次切り換えて映像表示を行う上記本発明の映像表示装置と、この映像表示装置における切り換え表示に同期した開閉動作を行うシャッター眼鏡とを備えたものである。
【００１５】
本発明の映像表示装置および映像表示システムでは、上記出力制御がなされた後の各単位映像の出力期間同士の間に位置する各ブランキング期間において、それらの開始時期および長さのうちの少なくとも一方が変更可能となるように、各単位映像のタイミング制御が行われる。このとき、各映像ストリームにおいて、１回目の単位映像の出力直後に位置する第１ブランキング期間の長さよりも長いブランキング期間（第２ブランキング期間）が、２回目の単位映像の出力直後または２回目以降の各単位映像の出力直後に位置するブランキング期間のうちに少なくとも１つ存在することとなるように、タイミング制御がなされる。これにより、複数の映像ストリームの切り換え表示に同期した開閉動作を行うシャッター眼鏡を用いて、２回目またはそれ以降のブランキング期間内において表示映像の観察を行う際に、液晶の応答特性が補われると共に、各回の単位映像を均等の開始位置および長さで出力する場合と比べ、このシャッター眼鏡における開期間（例えば、上記第２ブランキング期間に対応）が、より長く設定され得る。
【発明の効果】
【００１６】
本発明の映像表示装置および映像表示システムによれば、各映像ストリームにおいて、１回目の単位映像の出力直後に位置する第１ブランキング期間の長さよりも長いブランキング期間（第２ブランキング期間）が、２回目の単位映像の出力直後または２回目以降の各単位映像の出力直後に位置するブランキング期間のうちに少なくとも１つ存在することとなるように、タイミング制御を行うようにしたので、シャッター眼鏡を用いて２回目またはそれ以降のブランキング期間内において表示映像の観察を行う際に、液晶の応答特性を補いつつ、シャッター眼鏡における開期間をより長く設定することができる。よって、そのような表示映像の観察を行う際に、表示輝度の低下を抑えつつクロストークを抑制することが可能となる。
【図面の簡単な説明】
【００１７】
【図１】本発明の一実施の形態に係る映像表示装置を備えた映像表示システムの全体構成を表すブロック図である。
【図２】図１に示した画素の詳細構成例を表す回路図である。
【図３】図１に示した映像表示システムにおける立体映像表示動作の概要を表す模式図である。
【図４】比較例１に係る立体映像表示動作の際に生じ得るクロストークについて説明するためのタイミング図である。
【図５】比較例２に係る立体映像表示動作を表すタイミング図である。
【図６】比較例２に係る立体映像表示動作の際に生じ得る画面内の位置に応じたクロストークについて説明するためのタイミング波形図である。
【図７】実施の形態に係る立体映像表示動作を表すタイミング図である。
【図８】本発明の変形例１に係る立体映像表示動作を表すタイミング図である。
【図９】図８に示した立体映像表示動作を実現するための手法の一例について説明するためのタイミング図である。
【図１０】本発明の変形例２に係る立体映像表示動作を表すタイミング図である。
【図１１】図１０に示した立体映像表示動作を実現するための手法の一例について説明するためのタイミング図である。
【図１２】本発明の変形例３に係る立体映像表示動作を表すタイミング図である。
【図１３】本発明の変形例４に係る映像表示装置を備えた映像表示システムの全体構成を表すブロック図である。
【図１４】本発明の変形例６に係る映像表示システムにおけるマルチ映像表示動作の概要を表す模式図である。
【発明を実施するための形態】
【００１８】
以下、本発明の実施の形態について、図面を参照して詳細に説明する。なお、説明は以下の順序で行う。
１．実施の形態（２回目の書き込み（出力）開始時期を早めた場合の例）
２．変形例
変形例１（１回目の書き込み（出力）期間を短くした場合の例）
変形例２（各回の書き込み（出力）期間を等しくしつつ短くした場合の例）
変形例３（書き込み（出力）期間の長短の切り換えを行う場合の例）
変形例４（動作環境の温度変化に応じた調整を行う場合の例）
変形例５（映像の内容に応じた調整を行う場合の例）
変形例６（マルチ映像表示システムに適用した場合の例）
【００１９】
＜実施の形態＞
［映像表示システムの全体構成］
図１は、本発明の一実施の形態に係る映像表示システムのブロック構成を表すものである。この映像表示システムは、時分割駆動方式の立体映像表示システムであり、本発明の一実施の形態に係る映像表示装置（液晶表示装置１）と、シャッター眼鏡６とを備えている。
【００２０】
液晶表示装置１は、左右の視差を有する右眼用映像信号ＤＲ（右眼用映像ストリームに属する各右眼用像信号）および左眼用映像信号ＤＬ（左眼用映像ストリームに属する各左眼用映像信号）からなる入力映像信号Ｄinに基づいて、映像表示を行うものである。この液晶表示装置１は、液晶表示パネル２、バックライト３、映像信号処理部４１（映像処理部）、シャッター制御部４２、タイミング制御部４３、バックライト駆動部５０、データドライバ５１およびゲートドライバ５２を有している。
【００２１】
バックライト３は、液晶表示パネル２に対して光を照射する光源であり、例えばＬＥＤ（Light Emitting Diode）や、ＣＣＦＬ（Cold Cathode Fluorescent Lamp）などを含んで構成されている。
【００２２】
液晶表示パネル２は、後述するゲートドライバ５２から供給される駆動信号に従って、データドライバ５１から供給される映像電圧に基づいてバックライト３から発せられる光を変調することにより、入力映像信号Ｄinに基づく映像表示を行うものである。具体的には、詳細は後述するが、右眼用映像信号ＤＲに基づく右眼用映像（右眼用映像ストリームに属する各右眼用単位映像）と、左眼用映像信号ＤＬに基づく左眼用映像（左眼用映像ストリームに属する各左眼用単位映像）とを、時分割で交互に表示している。すなわち、この液晶表示パネル２では、後述する映像信号処理部４１において制御された出力順序に従って映像表示を行うことにより、立体映像表示のための時分割駆動がなされるようになっている。この液晶表示パネル２は、全体としてマトリクス状に配列された複数の画素２０を含んでいる。
【００２３】
ここで、図２を参照して、各画素２０の詳細構成について説明する。図２は、各画素２０内の画素回路の回路構成例を表したものである。画素２０は、液晶素子２２、ＴＦＴ（Thin Film Transistor；薄膜トランジスタ）素子２１および補助容量素子２３を有している。この画素２０には、駆動対象の画素を線順次で選択するためのゲート線Ｇと、駆動対象の画素に対して映像電圧（データドライバ５１から供給される映像電圧）を供給するためのデータ線Ｄと、補助容量線Ｃｓとが接続されている。
【００２４】
液晶素子２２は、データ線ＤからＴＦＴ素子２１を介して一端に供給される映像電圧に応じて、表示動作を行うものである。この液晶素子２２は、例えばＶＡ（Vertical Alignment）モードやＴＮ（Twisted Nematic）モードの液晶よりなる液晶層（図示せず）を、一対の電極（図示せず）で挟み込んだものである。液晶素子２２における一対の電極のうちの一方（一端）は、ＴＦＴ素子２１のドレインおよび補助容量素子２３の一端に接続され、他方（他端）は接地されている。補助容量素子２３は、液晶素子２２の蓄積電荷を安定化させるための容量素子である。この補助容量素子２３の一端は、液晶素子２２の一端およびＴＦＴ素子２１のドレインに接続され、他端は補助容量線Ｃｓに接続されている。ＴＦＴ素子２１は、液晶素子２２および補助容量素子２３の一端同士に対し、映像信号Ｄ１に基づく映像電圧を供給するためのスイッチング素子であり、ＭＯＳ−ＦＥＴ（Metal Oxide Semiconductor−Field Effect Transistor）により構成されている。このＴＦＴ素子２１のゲートはゲート線Ｇ、ソースはデータ線Ｄにそれぞれ接続されると共に、ドレインは液晶素子２２および補助容量素子２３の一端同士に接続されている。
【００２５】
映像信号処理部４１は、入力映像信号Ｄinに対して、右眼用映像信号ＤＲおよび左眼用映像信号ＤＬの出力順序（書き込み順序，表示順序）の制御を行うことにより、映像信号Ｄ１を生成するものである。具体的には、右眼用映像信号ＤＲおよび左眼用映像信号ＤＬが複数回（ここでは、２回）ずつ連続して出力されつつ、１フレーム期間内においてこれらの映像信号が時分割的に順次切り換わって出力されように、出力順序の制御を行う。すなわち、ここでは、１フレーム期間内において、左眼用映像信号ＤＬ→左眼用映像信号ＤＬ→右眼用映像信号ＤＲ→右眼用映像信号ＤＲの順序で出力されるように、映像信号Ｄ１を生成している。なお、以下、１フレーム期間のうち、左眼用映像信号ＤＬが２回ずつ連続して出力される（書き込まれる）期間を「Ｌサブフレーム期間」、右眼用映像信号ＤＲが２回ずつ連続して出力される（書き込まれる）期間を「Ｒサブフレーム期間」と称する。
【００２６】
タイミング制御部４３は、バックライト駆動部５０、ゲートドライバ５２およびデータドライバ５１の駆動タイミングを制御すると共に、映像信号処理部４１から供給される映像信号Ｄ１をデータドライバ５１へ供給するものである。なお、タイミング制御部４３において、映像信号Ｄ１に対してオーバードライブ処理を行うようにしてもよい。
【００２７】
このタイミング制御部４３はまた、映像信号処理部４１から出力される映像信号Ｄ１における各ブランキング期間（詳細は後述）の開始時期（タイミング）および長さ（Duty）のうちの少なくとも一方が変更可能となるように、タイミング制御を行っている。更に、タイミング制御部４３は、後述する２回目のブランキング期間Ｔｂ２においてシャッター眼鏡６が開状態となるように、シャッター制御部４２に対するタイミング制御を行うようになっている。このようなタイミング制御の詳細については、後述する。なお、以下、このようなタイミング制御は、タイミング制御部４３によってなされている場合について説明するが、例えば映像信号処理部４１において行うようにしてもよい。
【００２８】
ゲートドライバ５２は、タイミング制御部４３によるタイミング制御に従って、液晶表示パネル２内の各画素２０を、前述したゲート線Ｇに沿って線順次駆動するものである。
【００２９】
データドライバ５１は、液晶表示パネル２の各画素２０へそれぞれ、タイミング制御部４３から供給される映像信号Ｄ１に基づく映像電圧を供給するものである。具体的には、映像信号Ｄ１に対してＤ／Ａ（デジタル／アナログ）変換を施すことにより、アナログ信号である映像信号（上記映像電圧）を生成し、各画素２０へ出力するようになっている。
【００３０】
バックライト駆動部５０は、タイミング制御部４３によるタイミング制御に従って、バックライト３の点灯動作（発光動作）を制御するものである。ただし、本実施の形態では、そのようなバックライト３の点灯動作（発光動作）の制御を、行わないようにしてもよい。
【００３１】
（シャッター制御部４２およびシャッター眼鏡６の構成）
シャッター制御部４２は、映像信号処理部４１による右眼用映像信号ＤＲおよび左眼用映像信号ＤＬの出力タイミングに対応するタイミング制御信号（制御信号ＣＴＬ）を、シャッター眼鏡６に出力するものである。なお、この制御信号ＣＴＬは、ここでは例えば赤外線信号等の無線信号であるものとして示しているが、有線信号であってもよい。
【００３２】
シャッター眼鏡６は、液晶表示装置１の観察者（図１には図示せず）が用いることにより立体視を可能とするものである。このシャッター眼鏡６は、左眼用レンズ６Ｌおよび右眼用レンズ６Ｒを有しており、これらの左眼用レンズ６Ｌおよび右眼用レンズ６Ｒにはそれぞれ、例えば液晶シャッターなどの遮光シャッター（図示せず）が設けられている。これらの遮光シャッターにおける遮光機能の有効状態（オープン（開）状態）および無効状態（クローズ（閉）状態）は、シャッター制御部４２から供給される制御信号ＣＴＬにより制御されるようになっている。具体的には、詳細は後述するが、シャッター制御部４２は、左眼用映像および右眼用映像の切り換え表示に同期して、左眼用レンズ６Ｌおよび右眼用レンズ６Ｒの開状態および閉状態が交互に切り替わるように、シャッター眼鏡６を制御している。
【００３３】
［映像表示システムの作用・効果］
次に、本実施の形態の映像表示システムの作用および効果について説明する。
【００３４】
（１．立体映像表示動作）
最初に、図１〜図３を参照して、映像表示システムにおける立体映像表動作の概要について説明する。
【００３５】
この映像表示システムでは、図１に示したように液晶表示装置１において、映像信号処理部４１が入力映像信号Ｄinに対し、右眼用映像信号ＤＲおよび左眼用映像信号ＤＬの出力順序（書き込み順序，表示順序）の制御を行い、映像信号Ｄ１を生成する。次に、シャッター制御部４２は、このような右眼用映像信号ＤＲおよび左眼用映像信号ＤＬの出力タイミングに対応する制御信号ＣＴＬをシャッター眼鏡６に出力する。また、映像信号処理部４１から出力される映像信号Ｄ１は、タイミング制御部４３を介してデータドライバ５１へ供給される。データドライバ５１は、映像信号Ｄ１に対してＤ／Ａ変換を施し、アナログ信号である映像電圧を生成する。そして、ゲートドライバ５２およびデータドライバ５１から出力される各画素２０への駆動電圧によって表示駆動動作がなされる。
【００３６】
具体的には、図２に示したように、ゲートドライバ５２からゲート線Ｇを介して供給される選択信号に応じて、ＴＦＴ素子２１のオン・オフ動作が切り替えられる。これにより、データ線Ｄと液晶素子２２および補助容量素子２３との間が選択的に導通される。その結果、データドライバ５１から供給される映像信号Ｄ１に基づく映像電圧が液晶素子２２へと供給され、線順次の表示駆動動作がなされる。なお、本明細書では、この線順次駆動における走査方向（映像書き込み方向）は、液晶表示パネル２における画面垂直方向（縦方向）となっている。
【００３７】
このようにして映像電圧が供給された画素２０では、バックライト３からの照明光が液晶表示パネル２において変調され、表示光として出射される。これにより、入力映像信号Ｄinに基づく映像表示が、液晶表示装置１において行われる。具体的には、１フレーム期間内において、左眼用映像信号ＤＬに基づく左眼用映像と、右眼用映像信号ＤＲに基づく右眼用映像とが交互に表示され、時分割駆動による表示駆動動作がなされる。
【００３８】
この際、図３（Ａ）に示したように、左眼用の映像表示のときには、制御信号ＣＴＬにより、観察者７が用いるシャッター眼鏡６において、右眼用レンズ６Ｒにおける遮光機能が有効状態となると共に、左眼用レンズ６Ｌにおける遮光機能が無効状態となる。すなわち、左眼用レンズ６Ｌでは、左眼用の映像表示による表示光ＬＬの透過に対して開（オープン）状態となり、右眼用レンズ６Ｒでは、この表示光ＬＬの透過に対して閉（クローズ）状態となる。一方、図３（Ｂ）に示したように、右眼用の映像表示のときには、制御信号ＣＴＬにより、左眼用レンズ６Ｌにおける遮光機能が有効状態となると共に、右眼用レンズ６Ｒにおける遮光機能が無効状態となる。すなわち、右眼用レンズ６Ｒでは、右眼用の映像表示による表示光ＬＲの透過に対して開状態となり、左眼用レンズ６Ｌでは、この表示光ＬＲの透過に対して閉状態となる。そして、このような状態が時分割で交互に繰り返されるため、液晶表示装置１の表示画面を観察者７がシャッター眼鏡６をかけて観察することにより、立体映像の観察が可能となる。すなわち、観察者７は、左眼用映像を左眼７Ｌ、右眼用映像を右眼７Ｒで見ることができ、これらの左眼用映像と右眼用映像との間には視差があるため、観察者７には奥行きのある立体的な映像として認識される。
【００３９】
（２．連続書き込み・表示動作）
次に、図４〜図７を参照して、本発明の特徴的部分の１つである、連続書き込み・表示動作について、比較例と比較しつつ詳細に説明する。
【００４０】
（比較例１）
図４は、上記した時分割駆動方式を用いた、比較例１に係る従来の立体映像表示動作をタイミング図で表したものであり、（Ａ）は映像の書き込み・表示動作を、（Ｂ）はシャッター眼鏡６（左眼用レンズ６Ｌ，右眼用レンズ６Ｒ）の状態を示している。なお、図４（Ａ）において、実線の矢印は右眼用映像信号の書き込みタイミング（Ｒ書き込みタイミング）を、破線の矢印は左眼用映像信号の書き込みタイミング（Ｌ書き込みタイミング）を示し、以下同様である。また、同図において、破線で囲んで示した「Ｒ０」，「Ｌ１」等の期間は、右眼用映像Ｒ０，左眼用映像Ｌ１等において所望の表示輝度に到達している期間を示し、以下同様である。一方、図４（Ｂ）において、黒色で示した期間は、左眼用レンズ６Ｌ，右眼用レンズ６Ｒにおけるシャッター閉（クローズ）期間を、白色で示した期間は、それらにおけるシャッター開（オープン）期間ＴonＬ，ＴonＲを示し、以下同様である。
【００４１】
この比較例１の立体映像表示動作では、図４（Ａ）に示したように、１フレーム期間のうちの各Ｌサブフレーム期間において、左眼用映像信号が１回ずつ液晶表示パネル２に書き込まれ、これにより左眼用映像Ｌ１，Ｌ２等が表示される。また、同様に各Ｒサブフレーム期間において、右眼用映像信号が１回ずつ液晶表示パネル２に書き込まれ、これにより右眼用映像Ｒ０，Ｒ１等が表示される。このとき、液晶表示パネル２において液晶の応答に時間を要するため、各書き込みタイミングから所望の表示輝度に到達するまでに時間を要している。すなわち、Ｌ書き込みタイミングから所望の左眼用映像の輝度階調が表示される（所望の左眼用映像の輝度階調に達する）まで、およびＲ書き込みタイミングから所望の右眼用映像の輝度階調が表示される（所望の右眼用映像の輝度階調に達する）までに、時間を要する。一方、図４（Ｂ）に示したように、シャッター眼鏡６では、例えばＬ書き込みタイミングおよびＲ書き込みタイミングの間に、左眼用レンズ６Ｌ，右眼用レンズ６Ｒにおけるシャッター開期間ＴonＬ，ＴonＲが設定されている。
【００４２】
ところが、時分割駆動方式を用いた液晶表示装置では、図４（Ａ）に示したように、１フレーム期間内で各映像が画面の上部から下部へ向けて線順次で書き込まれるため、どのようなシャッター開期間ＴonＬ，ＴonＲを設定した場合でも、以下のような問題が生じる。すなわち、図４（Ａ）に示したように、連続する映像（右眼用映像，左眼用映像）同士の間で、混ざり込み（干渉、クロストーク）が生じてしまう。このようなクロストークが生じると、立体映像表示システムでは画面の上部や下部において左右逆の映像を観察することになり、正常な立体映像として認識されにくくなる。このようなクロストークは、液晶表示装置における応答速度不足や、シャッター眼鏡におけるシャッターのコントラスト不足など、表示装置やシャッター眼鏡の特性上の理由により生ずるものである。
【００４３】
（比較例２）
そこで、図５に示したような連続書き込み方式による立体映像表示動作を行うことが考えられる。図５は、比較例２に係る連続書き込み方式による立体映像表示動作をタイミング図で表したものであり、図４と同様に、（Ａ）は映像の書き込み・表示動作を、（Ｂ）はシャッター眼鏡６（左眼用レンズ６Ｌ，右眼用レンズ６Ｒ）の状態を示している。
【００４４】
この連続書き込み方式による立体映像表示動作では、図５（Ａ）に示したように、１フレーム期間のうちの各Ｌサブフレーム期間において、左眼用映像信号が連続して２回ずつ液晶表示パネル２に書き込まれ、これにより左眼用映像Ｌ１，Ｌ２等が表示される。また、同様に各Ｒサブフレーム期間において、右眼用映像信号が連続して２回ずつ液晶表示パネル２に書き込まれ、これにより右眼用映像Ｒ０，Ｒ１等が表示される。すなわち、１フレーム期間内において、例えば、左眼用映像Ｌ１→左眼用映像Ｌ１→右眼用映像Ｒ１→右眼用映像Ｒ１の順に表示される。そして、各サブフレーム期間（Ｌサブフレーム期間，Ｒサブフレーム期間）において、２回目の映像信号（左眼用映像信号または右眼用映像信号）の書き込みが完了して、画面全体において液晶が所望の階調輝度を保持している期間に、シャッター眼鏡６が開状態となる。すなわち、図５（Ｂ）に示したように、２回目のＬ書き込みタイミングまたはＲ書き込みタイミングと、次の他方の映像用の１回目の書き込みタイミングとの間（２回目のブランキング期間）に、シャッター開期間ＴonＬ，ＴonＲが設定されている。また、表示輝度を確保するため、これらのシャッター開期間ＴonＬ，ＴonＲを、２回目のブランキング期間よりも長く設定する場合もある。ここで、１回目のブランキング期間とは、図５（Ａ）中の符号Ｐ２０１Ｌ，２０１Ｒで示した期間（ブランキング期間Ｔｂ１）に対応し、２回目のブランキング期間とは、同図中の符号Ｐ２０２Ｌ，２０２Ｒで示した期間（ブランキング期間Ｔｂ２）に対応する。なお、この比較例２では、これら１回目および２回目のブランキング期間Ｔｂ１，Ｔｂ２がそれぞれ、同一の長さとなっている。
【００４５】
これにより、図４に示した比較例１に係る立体映像表示動作とは異なり、連続書き込みによって液晶が十分に応答したのちに、シャッター眼鏡６を開状態にすることができる。よって、液晶の応答特性が補われるため、上記したようなクロストークを抑制することが可能となると考えられる。
【００４６】
しかしながら、この連続書き込み方式を用いた場合でも、シャッター眼鏡６における開期間の開始時期（タイミング）やその長さ（Duty）は、例えば画面中央部を基準とした固定値に設定されているため、画面内でクロストークが発生し易い位置が存在する。具体的には、まず、画面の上部から下部に向かって線順次で書き込みを行う場合、画面の上部と下部との間では、それぞれの目標輝度に達するまでに時間的なずれが生じる。このため、例えば、画面中央部を基準にして、シャッター開期間のタイミングやDutyが設定されていると、画面の上部と下部において目標輝度からのずれが生じ、クロストークが発生し易くなる。すなわち、画面内の位置によって、クロストークを抑制するための最適なシャッター開期間のタイミングやdutyが異なるのである。
【００４７】
ここで、図６（Ａ）〜（Ｃ）は、（Ａ）画面上部、（Ｂ）画面中央部および（Ｃ）画面下部における輝度比と、シャッター眼鏡における左眼用レンズの開期間ＴonＬ，閉期間ＴoffＬ（斜線部分）とについて表したものである。また、画面上部、画面中央部および画面下部のそれぞれにおいて、左眼用映像として０階調、右眼用映像として２５５階調に対応する映像電圧をそれぞれ書き込む場合を例に挙げる。また、シャッター開期間ＴonＬのタイミングが、例えば画面中央部を基準として（すなわち、図６（Ｂ）に示したように画面中央部において目標輝度を表示し得るように）、固定値として予め設定されているものとする。この場合、画面中央部（図６（Ｂ））では、最適なシャッター開期間ＴonＬのタイミングやdutyに設定されていることから、クロストークが低減される。ところが、この画面中央部よりも書き込みタイミングの早い（走査開始位置に近い）画面上部（図６（Ａ））や、書き込みタイミングの遅い（走査終了位置に近い）画面下部（図６（Ｃ））では、クロストークが生じている（図中の符号Ｐ３００Ｕ，Ｐ３００Ｄ参照）。また、上記したように、２回目のブランキング期間Ｔｂ２よりも長くシャッター開期間ＴonＬ，ＴonＲを設定することでも、これらのクロストークが発生する。なお、２回目のブランキング期間Ｔｂ２とシャッター開期間ＴonＬ，ＴonＲとを等しい長さに設定した場合でも、液晶応答が遅いことにより、高階調および低階調ではクロストークが発生する。このようなクロストークが発生すると、具体的には、画面上部では、現在表示中の左眼用映像に、次に表示対象となる右眼用映像一部が漏れ込み、画面下部では、現在表示中の左眼用映像に、一つ前に表示していた右眼用映像の一部が漏れ込んでしまうことになる。
【００４８】
また、この手法（連続書き込み方式）を用いた場合、従来の黒画像挿入方式（各映像間に黒画像を挿入する方式）と比べてシャッター開期間のDutyが相対的に短くなる傾向にあることから、表示輝度の低下が生じ易くなる。特に、上記したような画面内の位置に応じたクロストーク発生を抑えるには、シャッター開期間のDutyをより短くする必要があるため、更に表示輝度の低下が生じてしまうことになる。
【００４９】
（本実施の形態）
そこで、本実施の形態では、タイミング制御部４３において、映像信号Ｄ１における各ブランキング期間Ｔｂ１，Ｔｂ２の開始時期（タイミング）および長さ（Duty）のうちの少なくとも一方が変更可能となるように、以下詳述するタイミング制御を行っている。
【００５０】
図７は、本実施の形態の連続書き込み方式による立体映像表示動作をタイミング図で表したものであり、図４，図５と同様に、（Ａ）は映像の書き込み・表示動作を、（Ｂ）はシャッター眼鏡６（左眼用レンズ６Ｌ，右眼用レンズ６Ｒ）の状態を示している。
【００５１】
タイミング制御部４３は、右眼用映像信号ＤＲおよび左眼用映像信号ＤＬにおいて、１回目のブランキング期間Ｔｂ１（第１ブランキング期間）の長さ（Duty）よりも長いブランキング期間（第２ブランキング期間）が、２回目以降のブランキング期間のうちに少なくとも１つ存在することとなるように、タイミング制御を行っている。すなわち、ここでは、上記比較例２とは異なり、１回目のブランキング期間Ｔｂ１のDutyよりも２回目のブランキング期間Ｔｂ２のDutyのほうがより長くなるように、タイミング制御を行う（図７（Ａ）中の符号Ｐ１１Ｌ，Ｐ１２Ｌ，Ｐ１１Ｒ，Ｐ１２Ｒ参照）。
【００５２】
具体的には、これを実現するため、本実施の形態では、２回目の単位映像（左眼用映像Ｌ１，Ｌ２、右眼用映像Ｒ１等）の出力（書き込み）開始時期（タイミング）が、より早くなるようにタイミング制御を行っている（図７（Ａ）中の矢印Ｐ１Ｌ，Ｐ１Ｒ参照）。すなわち、各回の単位映像を均等の開始位置（タイミング）および長さ（Duty）で出力する（書き込む）場合（上記比較例２に対応）と比べ、２回目の単位映像の出力開始時期がより早くなるように、タイミング制御を行う。
【００５３】
これにより、連続書き込み方式を用いて、２回目またはそれ以降のブランキング期間（ここでは、２回目のブランキング期間Ｔｂ２）においてシャッター眼鏡６を開状態として立体表示映像の観察を行う際に、上記比較例２と比べ、以下のような利点が生ずる。すなわち、まず、上記比較例２と同様に、連続書き込みによって液晶が十分に応答したのちに、シャッター眼鏡６が開状態となるため、液晶の応答特性が補われる結果、クロストークが抑えられる。そして、上記比較例２のように、各回の単位映像を均等の開始位置（タイミング）および長さ（Duty）で出力する場合と比べ、シャッター眼鏡６における開期間の長さ（Duty）が、より長く設定されることになる。
【００５４】
また、ここでは、１フレーム期間全体の長さ、およびそのうちのブランキング期間Ｔｂ１，Ｔｂ２の長さの総和は、いずれも変更前（比較例２の場合に対応）と同等となるように保持されているため、入力映像信号Ｄinとの整合性も保たれる。
【００５５】
以上のように本実施の形態では、タイミング制御部４３において、右眼用映像信号ＤＲおよび左眼用映像信号ＤＬのそれぞれについて、１回目のブランキング期間Ｔｂ１の長さ（Duty）よりも長いブランキング期間が、２回目以降のブランキング期間のうちに少なくとも１つ存在することとなるように、タイミング制御を行う。すなわち、ここでは、１回目のブランキング期間Ｔｂ１のDutyよりも２回目のブランキング期間Ｔｂ２のDutyのほうがより長くなるように、タイミング制御を行う。これにより、連続書き込み方式を用いて、２回目のブランキング期間Ｔｂ２にシャッター眼鏡６を開状態として立体表示映像の観察を行う際に、液晶の応答特性を補いつつ、シャッター眼鏡６における開期間をより長く設定することができる。よって、そのような立体表示映像の観察を行う際に、表示輝度の低下を抑えつつクロストークを抑制することが可能となる。
【００５６】
具体的には、２回目の単位映像（左眼用映像Ｌ１，Ｌ２、右眼用映像Ｒ１等）の出力開始時期がより早くなるように、タイミング制御を行うようにしたので、上記のような効果を得ることが可能となる。
【００５７】
また、タイミング制御部４３は、２回目のブランキング期間Ｔｂ２においてシャッター眼鏡６が開状態となるように、シャッター制御部４２に対するタイミング制御を行うようにしたので、上記のような効果を得ることが可能となる。
【００５８】
＜変形例＞
次に、本発明の変形例をいくつか挙げて説明する。なお、上記実施の形態と同様の構成要素については、同一の符号を付し、適宜説明を省略する。
【００５９】
（変形例１）
図８は、変形例１に係る立体映像表示動作をタイミング図で表したものであり、図４等と同様に、（Ａ）は映像の書き込み・表示動作を、（Ｂ）はシャッター眼鏡６（左眼用レンズ６Ｌ，右眼用レンズ６Ｒ）の状態を示している。
【００６０】
本変形例では、タイミング制御部４３は、右眼用映像信号ＤＲおよび左眼用映像信号ＤＬのそれぞれについて、１回目の単位映像の出力（書き込み）期間の長さが、２回目以降の単位映像の出力期間の長さと比べてより短くなるように、タイミング制御を行う。具体的には、ここでは、図８（Ａ）中の矢印Ｐ２Ｌ，Ｐ２Ｒで示したように、１回目の単位映像（左眼用映像Ｌ１，Ｌ２、右眼用映像Ｒ１等）の出力期間の長さが、２回目の単位映像の出力期間の長さと比べてより短くなるように、タイミング制御を行っている。なお、この場合は、出力（書き込み期間）期間の長さが１回目と２回目とで異なることから、図８（Ａ）中の「Ｌ書き込み」，「Ｒ書き込み」で示した矢印の傾きが、１回目と２回目とで互いに異なることになる。
【００６１】
これにより、上記実施の形態と同様に、１回目のブランキング期間Ｔｂ１のDutyよりも２回目のブランキング期間Ｔｂ２のDutyのほうが、より長くなる（図８（Ａ）中の符号Ｐ２１Ｌ，Ｐ２２Ｌ，Ｐ２１Ｒ，Ｐ２２Ｒ参照）。また、この場合は上記実施の形態とは異なり、１回目のブランキング期間Ｔｂ１のDutyを変更させることなく、実現することができる。更に、本変形例の手法と上記実施の形態の手法とを組み合わせると、より大きな効果が得られる。
【００６２】
ここで、このように、１回目の単位映像の出力期間の長さが２回目以降の単位映像の出力期間の長さと比べてより短くなるようにするには、例えば以下の２つの手法が挙げられる。まず、１つの手法は、線順次走査の際の書き込み周波数が、２回目以降の単位映像の出力の際と比べて１回目の単位映像の出力の際のほうがより高くなるように、タイミング制御を行うというものである。このような線順次走査の際の書き込み周波数としては、例えば、データドライバ５１において用いられるドットクロックの周波数や、液晶表示装置１におけるシステムクロックの周波数などが挙げられる。
【００６３】
また、２つ目の手法は、線順次走査の際の同時選択水平ライン数が、２回目以降の単位映像の出力の際と比べて１回目の単位映像の出力の際のほうがより多くなるように、タイミング制御を行うというものである。具体的には、まず、通常動作時には、１回目，２回目の書き込み期間の双方とも、線順次走査の際の同時選択水平ライン数を１ラインとする。これに対し、１回目の書き込み期間における同時選択水平ライン数（例えば、２ライン）が、２回目の書き込み期間における同時選択水平ライン数（例えば、１ライン）よりも多くなるようにする。あるいは、通常動作時における同時選択水平ライン数は、上記した１ライン以外であってもよい。すなわち、例えば図９（Ａ）に示した例では、通常動作時には、１回目の書き込み期間Ｔ１０１、２回目の書き込み期間Ｔ１０２の双方とも、線順次走査の際の同時選択水平ライン数が２ラインとなっており、互いに等しい（図中の符号Ｈ１００参照）。これに対し、例えば図９（Ｂ），（Ｃ）に示した例では、１回目の書き込み期間Ｔ１１，Ｔ２１における同時選択水平ライン数（４ライン）が、２回目の書き込み期間Ｔ１２，Ｔ２２における同時選択水平ライン数（２ライン）よりも多くなっている（図中の符号Ｈ１１，Ｈ１２，Ｈ２１，Ｈ２２参照）。
【００６４】
より具体的には、図９（Ｂ）では、２回目の書き込み期間Ｔ１２において、偶数または奇数の２ライン同士を同時選択している。そして、１回目の書き込み期間Ｔ１１では、近接ライン間の画像は近い情報を持つ可能性が高いため、これらを組み合わせた隣接する４ライン同士を同時選択している。これにより、１回目の書き込み期間Ｔ１１では、２回目の書き込み期間Ｔ１２の１／２の時間で走査を行い、全画面の走査を行うようになっている。なお、この場合、２回目の書き込み期間Ｔ１２では通常動作時と同様の同時選択水平ライン数（２ライン）となっているため、情報が劣化することはない。
【００６５】
一方、図９（Ｃ）では、基本的には図９（Ｂ）の場合と同様であるが、２回目の書き込み期間Ｔ２２において、図９（Ｂ）のような飛び越しライン選択ではなく、隣接する２ラインを選択するようになっている。
【００６６】
以上のように本変形例では、タイミング制御部４３は、右眼用映像信号ＤＲおよび左眼用映像信号ＤＬのそれぞれについて、１回目の単位映像の出力期間の長さが、２回目の単位映像の出力期間の長さと比べてより長くなるようにタイミング制御を行っているので、上記実施の形態と同様の作用により同様の効果を得ることができる。すなわち、立体表示映像の観察を行う際に、表示輝度の低下を抑えつつクロストークを抑制することが可能となる。
【００６７】
（変形例２）
図１０は、変形例２に係る立体映像表示動作をタイミング図で表したものであり、図４等と同様に、（Ａ）は映像の書き込み・表示動作を、（Ｂ）はシャッター眼鏡６（左眼用レンズ６Ｌ，右眼用レンズ６Ｒ）の状態を示している。
【００６８】
本変形例では、タイミング制御部４３は、右眼用映像信号ＤＲおよび左眼用映像信号ＤＬのそれぞれについて、各回の単位映像の出力期間の長さが、各回の単位映像を均等の開始位置および長さで出力する場合と比べて同一の比率でいずれもより短くなるように、タイミング制御を行っている。すなわち、ここでは、図１０（Ａ）中の矢印Ｐ３Ｌ，Ｐ３Ｒで示したように、１〜３回目の各回の単位映像の出力期間の長さが、同一の比率でいずれもより短くなるようにしている。
【００６９】
これを実現するため、具体的には、例えば図１１に示したようにしてタイミング制御を行っている。すなわち、まず、１回目の書き込み期間Ｔ３１における同時選択水平ライン数（４ライン）が、２，３回目の書き込み期間Ｔ３２，Ｔ３３における同時選択水平ライン数（２ライン）よりも多くなるようにする（図中の符号Ｈ３１〜Ｈ３３参照）。そして、２，３回目の書き込み期間Ｔ３２，Ｔ３３では、走査される水平ライン数が、表示画面全体の水平ライン数に対して間引かれる（ここでは、１／２に間引かれている）こととなるように、タイミング制御を行っている（図中の符号Ｈ３２，Ｈ３３参照）。
【００７０】
これにより、上記実施の形態および変形例１と同様に、１回目のブランキング期間Ｔｂ１のDutyよりも２，３回目のブランキング期間Ｔｂ２，Ｔｂ３のDutyのほうが、より長くなる（図１０（Ａ）中の符号Ｐ３３Ｌ，Ｐ３３Ｒ参照）。また、上記比較例１とは異なり、出力（書き込み期間）期間の長さが１〜３回目で互いに一致するため、例えばオーバードライブ処理を行う際の調整が比較的容易になる。
【００７１】
以上のように本変形例では、タイミング制御部４３において、右眼用映像信号ＤＲおよび左眼用映像信号ＤＬのそれぞれについて、各回の単位映像の出力期間の長さが、各回の単位映像を均等の開始位置および長さで出力する場合と比べて同一の比率でいずれもより短くなるように、タイミング制御を行っているので、上記実施の形態と同様の作用により同様の効果を得ることができる。すなわち、立体表示映像の観察を行う際に、表示輝度の低下を抑えつつクロストークを抑制することが可能となる。
【００７２】
（変形例３）
なお、上記変形例１，２のような走査手法と、通常動作時の走査手法（図９（Ａ）参照）とを、随時切り換えて行うようにしてもよい。
【００７３】
この場合、通常動作時の走査手法としては、前述した図９（Ａ）のような隣接する複数ラインの同時選択を用いるよりも、例えば図１２に示したように、同時２ライン等の飛び越し選択を用いるほうが好ましい。このほうが、表示装置回路（パネル内バスライン）や走査回路を構成し易くなるためである。
【００７４】
（変形例４）
図１３は、変形例４に係る映像表示システムのブロック構成を表すものである。本変形例の映像表示システムは、上記実施の形態に係る液晶表示装置１の代わりに、液晶表示装置１Ａを備えている。この液晶表示装置１Ａは、液晶表示装置１において、温度検出部４４を更に有するようにしたものである。
【００７５】
温度検出部４４は、動作環境の温度を検出すると共に、その検出結果をタイミング制御部４３へ出力するものであり、例えばサーミスタなどを用いて構成されている。
【００７６】
これにより、本変形例のタイミング制御部４３では、動作環境の温度変化に応じて、シャッター眼鏡６の開期間に対応する２回目のブランキング期間Ｔｂ２（第２ブランキング期間）の長さが変化するように、タイミング制御を行う。具体的には、動作環境が低温になるのに従って２回目のブランキング期間Ｔｂ２の長さをより短く変化させる一方、動作環境が高温になるのに従って２回目のブランキング期間Ｔｂ２の長さをより長く変化させる。動作環境が低温である場合、液晶の応答速度が遅くなりクロストークが生じ易く（目立ち易く）なるが、動作環境が高温である場合には、液晶の応答速度が速くなりクロストークが生じにくく（目立ちにくく）なるためである。また、上記変形例１で説明したように、例えばドットクロックの周波数を高くする手法を用いた場合には、低温時にはブランキング期間を短くし、高温時にはブランキング期間を長くするようにしてもよい。これは、ＴＦＴの能力を鑑みて、低温時にはブランキング期間を短く、つまりドットクロックの周波数を下げることで、充電不足によるムラの発生を防ぐためである。一方、高温時には十分な充電が可能であるため、ドットクロックの周波数を上げ、ブランキング期間を長くすることで、表示輝度およびクロストークを改善するためである。
【００７７】
以上のように本変形例では、動作環境の温度変化に応じて、シャッター眼鏡６の開期間に対応する２回目のブランキング期間Ｔｂ２の長さが変化するようにしたので、クロストークをより低減することが可能となる。
【００７８】
（変形例５）
なお、この他にも、例えばタイミング制御部４３において、各単位映像の内容に応じて、シャッター眼鏡６の開期間に対応する２回目のブランキング期間Ｔｂ２の長さが変化するようにしてもよい。具体的には、例えば、静止画であるか動画であるか、あるいはコントラストが高い映像であるか低い映像であるか、などといった各単位映像の内容に応じて、２回目のブランキング期間Ｔｂ２の長さが変化するようにしてもよい。
【００７９】
（変形例６）
図１４は、変形例６に係る映像表示システム（マルチビューシステム）における映像表示動作の概要を模式的に表したものである。本変形例では、これまで説明した立体映像表示動作の代わりに、複数人の観察者（ここでは、２人の観察者）に対し、互いに異なる複数（ここでは、２つ）の映像を個別に観察することを可能とするマルチ映像表示動作を行うようになっている。
【００８０】
本変形例のマルチビューシステムでは、１人目の観察者に対応する第１の映像信号に基づく第１の映像と、２人目の観察者に対応する第２の映像信号に基づく第２の映像とが、時分割で交互に表示される。すなわち、これまでは、シャッター眼鏡６における左眼用レンズ６Ｌおよび右眼用レンズ６Ｒごとにそれぞれ対応する左眼用映像および右眼用映像が表示されるのに対し、本変形例では、観察者（ユーザ）ごとにそれぞれ対応する複数の映像が表示される。
【００８１】
具体的には、図１４（Ａ）に示したように、第１の映像Ｖ１の表示期間においては、制御信号ＣＴＬ１により、観察者７１が用いるシャッター眼鏡６１において、右眼用レンズ６Ｒおよび左眼用レンズ６Ｌの双方が開状態となっている。また、制御信号ＣＴＬ２により、観察者７２が用いるシャッター眼鏡６２において、右眼用レンズ６Ｒおよび左眼用レンズ６Ｌの双方が閉状態となっている。すなわち、観察者７１のシャッター眼鏡６１では、第１の映像Ｖ１に基づく表示光ＬＶ１を透過させ、観察者７２のシャッター眼鏡６２では、この表示光ＬＶ１を遮断させる。
【００８２】
一方、図１４（Ｂ）に示したように、第２の映像Ｖ２の表示期間においては、制御信号ＣＴＬ２により、観察者７２が用いるシャッター眼鏡６２において、右眼用レンズ６Ｒおよび左眼用レンズ６Ｌの双方が開状態となっている。また、制御信号ＣＴＬ１により、観察者７１が用いるシャッター眼鏡６１において、右眼用レンズ６Ｒおよび左眼用レンズ６Ｌの双方が閉状態となっている。すなわち、観察者７２のシャッター眼鏡６２では、第２の映像Ｖ２に基づく表示光ＬＶ２を透過させ、観察者７１のシャッター眼鏡６１では、この表示光ＬＶ２を遮断させる。
【００８３】
そして、このような状態が時分割で交互に繰り返されることにより、２人の観察者７１，７２は、互いに異なる映像（映像Ｖ１，Ｖ２）を個別に観察することが可能となる（マルチビューモードが実現される）。
【００８４】
このように、本変形例のようなマルチ映像表示動作を行う場合においても、タイミング制御部４３において、上記実施の形態等で説明したようなタイミング制御を行うことにより、上記実施の形態等と同様の効果を得ることができる。
【００８５】
なお、本変形例では、２人の観察者において互いに異なる２つの映像を個別に観察する場合について説明したが、３人以上の観察者において互いに異なる３つ以上の映像を個別に観察する場合にも、本発明を適用することが可能である。また、映像の数とシャッター眼鏡の数は必ずしも同数となっていなくともよい。すなわち、ある１つの映像に対応して開閉動作を行うシャッター眼鏡を複数個用意し、１つの映像を複数人の観察者で観察するようにしてもよい。
【００８６】
（その他の変形例）
以上、実施の形態および変形例を挙げて本発明を説明したが、本発明はこれらの実施の形態等に限定されず、種々の変形が可能である。
【００８７】
例えば、上記実施の形態等では、主に、１フレーム期間のうちの各Ｌサブフレーム期間において、左眼用映像信号が連続して２回ずつ液晶表示パネル２に書き込まれ、これにより左眼用映像Ｌ１，Ｌ２等が表示されているが、この場合には限られない。すなわち、１フレーム期間のうちの各サブフレーム期間において、映像信号が連続して３回以上ずつ液晶表示パネル２に書き込まれるようにした場合でも、上記実施の形態と同様の効果を得ることが可能である。
【００８８】
また、上記実施の形態等で説明した線順次走査の際の書き込み周波数（ドットクロックやシステムクロックの周波数等）が、２Ｄ（２次元）映像表示を行っている場合と、３Ｄ（３次元，立体）映像表示を行っている場合とで、互いに異なっているようにしてもよい。具体的には、例えば、２Ｄ映像表示を行っている場合と比べて３Ｄ映像表示を行っている場合のほうが、線順次走査の際の書き込み周波数がより高くなるようにしてもよい。
【００８９】
更に、上記実施の形態等では、映像表示装置の一例として、液晶素子を用いて構成された液晶表示部を備えた液晶表示装置を挙げて説明したが、本発明は他の種類の映像表示装置にも適用することが可能である。具体的には、例えばＰＤＰ（Plasma Display Panel）や有機ＥＬ（Electro Luminescence）ディスプレイなどを用いた映像表示装置にも適用することが可能である。
【００９０】
加えて、上記実施の形態等において説明した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされるようになっている。このようなプログラムは、コンピュータに内蔵されている記録媒体に予め記録してさせておくようにしてもよい。
【符号の説明】
【００９１】
１，１Ａ…液晶表示装置、２…液晶表示パネル、２０…画素、２１…ＴＦＴ素子、２２…液晶素子、２３…補助容量素子、３…バックライト、４１…映像信号処理部、４２…シャッター制御部、４３…タイミング制御部、４４…温度検出部、５０…バックライト駆動部、５１…データドライバ、５２…ゲートドライバ、６，６１，６２…シャッター眼鏡、６Ｌ…左眼用レンズ、６Ｒ…右眼用レンズ、７，７１，７２…観察者（ユーザ）、７Ｌ…左眼、７Ｒ…右眼、Ｄin（ＤＬ，ＤＲ），Ｄ１…映像信号、ＣＴＬ，ＣＴＬ１，ＣＴＬ２…制御信号、Ｄ…データ線、Ｇ…ゲート線、Ｃｓ…補助容量線、Ｌ，Ｌ１，Ｌ２…左眼用映像、Ｒ，Ｒ０，Ｒ１…右眼用映像、Ｖ１，Ｖ２…映像、ＴonＬ，ＴonＲ…シャッター開（オープン）期間、ＴoffＬ，ＴoffＲ…シャッター閉（クローズ）期間、Ｔｂ１〜Ｔｂ３…ブランキング期間、ＬＬ，ＬＲ，ＬＶ１，ＬＶ２…表示光、Ｔ１１，Ｔ２１，Ｔ３１…１回目書き込み期間、Ｔ１２，Ｔ２２，Ｔ３２…２回目書き込み期間、Ｔ３３…３回目書き込み期間。
【図１】
2011018993.tif 000003
【図２】
2011018993.tif 000004
【図３】
2011018993.tif 000005
【図４】
2011018993.tif 000006
【図５】
2011018993.tif 000007
【図６】
2011018993.tif 000008
【図７】
2011018993.tif 000009
【図８】
2011018993.tif 000010
【図９】
2011018993.tif 000011
【図１０】
2011018993.tif 000012
【図１１】
2011018993.tif 000013
【図１２】
2011018993.tif 000014
【図１３】
2011018993.tif 000015
【図１４】
2011018993.tif 000016